(57)【要約】【課題】  本発明の課題は、照明具が照らす角度の調整がし易い照明装置及び陳列棚装置を提供することである。【解決手段】  本発明の照明装置は、ブラケット４に取り付ける係止部材１７と、係止部材１７の周囲に巻き付ける締結部材１９と、陳列棚２を照らす照明具７とを備え、締結部材１９は照明具７との取り付け部１５を備え、締結部材１９は係止部材１７に巻き付けて、締め付けにより係止部材１７に固定して、照明具７をブラケット４に取り付けている。【選択図】      図１
2005116197.tif 000002
【特許請求の範囲】
【請求項１】
ブラケットに取り付ける係止部材と、係止部材の周囲に巻き付ける締結部材と、陳列棚を照らす照明具とを備え、締結部材は照明具との取り付け部を備え、締結部材は係止部材に巻き付けて、締め付けにより係止部材に固定していることを特徴とする照明装置。
【請求項２】
係止部材は、ねじを挿通してブラケットに固定するねじ穴と、ブラケットとの係合突起とを備えていることを特徴とする請求項１に記載の照明装置。
【請求項３】
照明具は、電源ランプを内部に収納した本体と、電源ランプの安定器と、本体に脱着自在に嵌合した前面カバーと、本体の端面を覆う側面カバーとを備え、本体は横断面Ｕ字形状であり且つＵ字内に電源ランプを収納しており、安定器は本体の前側で且つ本体の外側に装着しており、前面カバーで安定器を覆っていることを特徴とする請求項１又は２に記載の照明装置。
【請求項４】
陳列棚と、陳列棚の支柱に設けたアームとを備え、アームの先端に設けたブラケットに請求項１〜３の何れか一項に記載の照明装置を取り付け、照明具は陳列棚の前方で且つ斜め上方に配置され陳列棚の正面を照らすことを特徴とする陳列棚装置。
【発明の詳細な説明】
【技術分野】
【０００１】
本発明は、陳列棚等に取り付ける照明装置及び照明装置を備えた陳列棚装置に関するものである。
【背景技術】
【０００２】
特許文献１には、照明具をねじ固定によりブラケットに取り付けた構成が開示されている。
【０００３】
【特許文献１】特開２００２−１５３３６１号公報
【発明の開示】
【発明が解決しようとする課題】
【０００４】
しかし、上述した特許文献１に開示の技術では、照明具をブラケットに直接ねじ固定しているため、照明具が照らす角度の調整ができないという問題がある。
【０００５】
そこで本発明は、照明具が照らす角度の調整がし易い照明装置及び陳列棚装置の提供を目的とする。
【課題を解決するための手段】
【０００６】
請求項１に記載の発明は、ブラケットに取り付ける係止部材と、係止部材の周囲に巻き付ける締結部材と、陳列棚を照らす照明具とを備え、締結部材は照明具との取り付け部を備え、締結部材は係止部材に巻き付けて、締め付けにより係止部材に固定していることを特徴とする。
【０００７】
請求項２に記載の発明は、請求項１に記載の発明において、係止部材は、ねじを挿通してブラケットに固定するねじ穴と、ブラケットとの係合突起とを備えていることを特徴とする。
【０００８】
請求項３に記載の発明は、請求項１又は２に記載の発明において、照明具は、電源ランプを内部に収納した本体と、電源ランプの安定器と、本体に脱着自在に嵌合した前面カバーと、本体の端面を覆う側面カバーとを備え、本体は横断面Ｕ字形状であり且つＵ字内に電源ランプを収納しており、安定器は本体の前側で且つ本体の外側に装着しており、前面カバーで安定器を覆っていることを特徴とする。
【０００９】
請求項４に記載の発明は、陳列棚と、陳列棚の支柱に設けたアームとを備え、アームの先端に設けたブラケットに請求項１〜３の何れか一項に記載の照明装置を取り付け、照明具は陳列棚の前方で且つ斜め上方に配置され陳列棚の正面を照らすことを特徴とする。
【発明の効果】
【００１０】
請求項１に記載の発明によれば、締結部材の締め付けにより、係止部材と締結部材とを任意の位置に固定できるので、照明具が照らす角度の調整がし易い。
【００１１】
ブラケットに固定した係止部材に、照明具に固定した締結部材を巻き付けて、照明具をブラケットに取り付けるので、照明具の取り付けが簡単にでき、施工やメンテナンスが容易である。
【００１２】
請求項２に記載の発明では、請求項１に記載の発明と同様の効果を奏するとともに、係止部材の係合突起をブラケットの係合穴に係合させてねじ固定するので、ねじ固定のみで係止部材をブラケットに固定する場合と比較して係止部材の水平軸回りの動きを確実に規制できる。
【００１３】
請求項３に記載の発明では、請求項１又は２に記載の発明と同様の効果を奏するとともに、光源ランプの安定器を覆う前面カバーは本体に対して脱着自在であるから、前面カバーを異なる意匠のものに交換が容易であり、施工場所や店舗の模様替えに合わせて意匠の変更が容易にできる。
【００１４】
光源ランプを陳列棚側に設けているとともに安定器を前方（陳列棚のから離れる側）に設けているので、陳列棚から離れた位置で前面カバーを外して、安定器の設置やメンテナンスができるので、メンテナンスの作業スペースが広く取れ、施工やメンテナンス作業がしやすい。
【００１５】
請求項４に記載の発明では、一つの照明具が陳列棚全体を前方の斜め上方から照らすことにより、一つの照明具で陳列棚全体を照らすことができる。本発明によれば、各棚板毎に照明具を設ける場合に比較して、照明具の取り付けや配線がひとつで済むので、施工が容易で且つコストを低減できるとともにメンテナンスも容易である。
【００１６】
照明具は陳列棚の支柱に設けたアームの先端に設けているので、陳列棚と一体であり、陳列棚と照明具とで陳列棚全体の意匠を構成でき、全体的な意匠の調和や照明の調整を図りやすく且つ陳列棚とともに施工が容易にできる。
【発明を実施するための最良の形態】
【００１７】
以下に、本発明の実施の形態を添付図面を参照して詳細に説明する。図１は第１実施の形態にかかる陳列棚装置の斜視図であり、図２は陳列棚装置のアームに取り付ける照明装置を示す断面図であり、図３は照明具の分解斜視図であり、図４は図１に示す照明装置の一部を示す斜視図であり、図５は連結具の固定状態を示す斜視図であり、図６は図１に示す陳列棚装置の側面図である。
【００１８】
第１実施の形態に係る陳列棚装置１は、陳列棚２と、陳列棚２の支柱３に固定したアーム５とを備え、アーム５の先端に照明装置１０が取り付けられている。照明装置１０は、アーム５間に架設する照明具７と、アーム５と照明具７とを連結する連結具９とからなり、照明具７により陳列棚２の各棚１１を正面から照らしている。棚１１は、各支柱３に複数段に設置されている。
【００１９】
支柱３には、それぞれアーム５の後端が固定されており、各アーム５は支柱３に固定された固定部５ａと、固定部５ａから伸縮自在な可動部５ｂとからなり、可動部５ｂが前後に移動可能であり、各アーム５の先端は陳列棚２の前面よりも前方に突設している。
【００２０】
アーム５の先端には、連結具９を固定するブラケット４が設けてあり、後述する連結具９の係止部材１７が係止されている。ブラケット４は下側が開口したコ字状の部材であり、左右側面にはねじ穴２５と係合穴２６とが夫々形成されている。
【００２１】
連結具９は、ブラケット４に取り付ける係止部材１７と、係止部材１７の周囲に巻き付ける締結部材１９とから構成されている。係止部材１７は円筒形状であり、一端側に底部２０を有し、他端側につば部２１を有している。底部２０にはねじ２２を挿通して係止部材１７をブラケット４に固定するねじ穴２３と、ブラケット４の係合穴２６に係合する係合突起２４とが設けられている。つば部２１の外周には、所定間隔を開けて複数の突部２８が形成されている。
【００２２】
締結部材１９は樹脂製であり、ねじ１３の締め付けにより係止部材１７と締結部材１９とを所定角度で固定している。尚、締結部材１９は係止部材１７に固定しない状態では、略くの字形状を成しており、両端を挟むことで弾性変形により、くの字の両端の幅が狭まるようになっている。締結部材１９の一端には、ねじ１３の挿入孔が形成されており、他端には照明具７との取り付け部１５を備えており、照明具７上部の長手方向に設けられた係止溝部４３の両端にねじ固定されるようになっている。尚、ねじ１３にはつまみ１３ａが設けられており、簡単にねじ固定ができるようになっている。
【００２３】
照明具７は、電源ランプ２９を内部に収納した本体２７と、電源ランプ２９の安定器３３と、前面カバー３０と、本体２７の両端にそれぞれ設けられた側面カバー３２とを備えている。本体２７は、横断面が略Ｕ字形状であり、Ｕ字は下側が開口している。Ｕ字の内側には、電源ランプ２９が収納されており、電源ランプ２９は本実施の形態では蛍光灯である。
【００２４】
電源ランプ２９の両端は保持端子３１、３１により保持されており、保持端子３１、３１は配線３５を介して安定器３３に接続されている。安定器３３は、本体２７において、陳列棚２から離れた側であって本体２７の裏面にねじ止めされている。安定器３３の配線３５は、本体２７に形成された孔３９を通って、本体２７のＵ字の内側に導入されている。安定器３３に接続された電源コード（配線）３７は側面カバー３２の内側面に設けた配線保護部４１の内側に挿通されて本体２７の外に導出されている。
【００２５】
側面カバー３２は本体２７の端面に固定されており、平面視略卵型形状をしている。側面カバー３２は本体２７よりも前方に突設して設けてあり、側面カバー３２と前面カバー３０とで本体２７に固定した安定器３３を覆っている。
【００２６】
前面カバー３０は断面が略円弧形状であり、正面から見たときに滑らかな曲線状を成している。この前面カバー３０は上下端が本体２７に嵌合されて、端面側から側面カバー３２とともにねじ固定されている。
【００２７】
また、本体２７には、その外側上面に締結部材１９の取り付け部１５が取り付けられる係止溝部４３が長手方向に設けられている。係止溝部４３には、ねじ穴を有する板状の固定具４５が係止されており、締結部材１９の取り付け部１５と固定具４５とをねじ固定することにより、連結具９に照明具７が固定されている。
【００２８】
次に、本実施の形態にかかる陳列棚装置１の施工及び作用を説明する。施工は、陳列棚２の支柱３にアーム５の後端を固定し、アーム５の先端を陳列棚２の前面側で斜め上方に配置する。アーム５の先端のブラケット４に、係止部材１７を固定する。締結部材１９の取り付け部１５を照明具７の係止溝部４３の固定具４５にねじ固定し、締結部材１９と照明具７とを連結する。そして、係止部材１７の外周に締結部材１９を巻き付け、ねじ１３の締付けにより、係止部材１７と締結部材１９とを固定する。
【００２９】
照明具７をアーム５に取り付ける場合に、照明具７に予め固定した締結部材１９を、アーム５先端のブラケット４に固定した係止部材１７に巻き付けて、ねじ１３で締め付けるだけでよいので、取り付けが容易にできる。また、連結具９の締結部材１９を回動して所定の角度に設定したところでねじ１３を締め付けて角度を固定する。これにより、照明具７が陳列棚２を照らす位置を任意に設定し、あるいは照明角度の変更や調節が容易にできる。
【００３０】
係止部材１７の係合突起２４をブラケット４の係合穴２６に係合させてねじ固定するので、ねじ固定のみで係止部材１７をブラケット４に固定する場合と比較して係止部材１７の水平軸回りの動きを確実に規制できる。
【００３１】
係止部材１７のつば部２１には、突部２８が形成されているので、突部２８に指を掛けて係止部材１７の操作がし易い。また、突部２８を連結具９の角度を変えるときの目盛とすることができ、照明具７の角度の調整が容易にできる。
【００３２】
照明具７は陳列棚２と一体となっているので、照明具７と陳列棚２との一体的な意匠を構成でき、且つ外観が良い。また、店舗レイアウトの変更においても陳列棚２と照明具７を一緒におこなうことができる。
【００３３】
可動部５ｂを前後に移動させると共に連結具９の角度を変えることにより、照明具７の照明角度（Ａ）を自在に変更でき、陳列棚２の最上段の棚１１から最下段の棚１１に至るまで広範囲に渡って照らすことができる。
【００３４】
照明具７では、本体２７の裏面側に配置した安定器３３を前面カバー３０で覆っているので、安定器３３が外部から見えず外観がよい。前面カバー３０は本体２７に嵌合されているから取り付け取り外しが容易にでき、必要に応じて模様や外観が異なる形状のものに交換可能である。
【００３５】
次に図７及び図８を参照して本発明の第２実施の形態について説明する。図７は第２実施の形態に係る陳列棚装置の側面図、図８は図７に示す陳列棚装置の天板部分を示す斜視図である。第２実施の形態では、照明具７をアーム５の先端に取り付けた上述の第１実施の形態と異なり、陳列棚装置１の天板５１に照明具７を取り付けている。天板５１は、支柱３上端に取り付けられる受材５３に設けられており、受材５３の先端にブラケット４が取り付けられている。ブラケット４は略Ｌ字状であり、一端は受材５３にねじ固定されており、他端には連結具９の締結部材１９が固定されている。
【００３６】
このように、天板５１を設けた陳列棚装置１であっても、天板５１の受材５３に連結具９を介して照明具７を取り付けることができるので、天板５１の奥行き長さを棚板１１の奥行き長さよりも大きくすることで、第１実施の形態と同様に、陳列棚２の最上段の棚１１から最下段の棚１１に至るまで広範囲に渡って照らすことができる。
【００３７】
本発明は、上述した実施の形態に限らず、本発明の要旨を逸脱しない範囲で種々変形可能である。図９は照明具７の変形例を示し、以下詳細に説明する。図９（ａ）に示すように、本体２７の内面に反射シート５５を設けて、高い反射率で電源ランプ２９の光を照らすようにしてもよい。図９（ｂ）に示すように、前面カバー３０に透明パネル５７を取り付け、また前面カバー３０と本体２７との仕切り部分に切り抜き５９を形成して、前面カバー３０から採光できるようにしてもよい。図９（ｃ）に示すように、前面カバー３０の上下に取付溝６１を設け、パネル６３を着脱自在に取り付けてもよい。図９（ｄ）に示すように、本体２７の内面にルーバー６５を設けて、遮光を図るようにしてもよい。図９（ｅ）に示すように、前面カバー３０の断面形状を角型６７にしても良い。図９（ｆ）に示すように、前面カバー３０を夜間に発光する発光体にしてもよい。
【００３８】
図１０及び図１１は、照明具７およびアーム５の変形例を示しており、照明具７は、棚板１１の３枚分の幅を有している。尚、照明具７内の電源ランプ２９及び安定器３３は上述の第１実施の形態で使用するものと同じものを用いており、電源ランプ２９及び安定器３３をそれぞれ３つずつ配置している。そして、照明具７をアーム５に取り付ける場合には、照明具７上部の係止溝部４３に予め連結具９の締結部材１９を固定し、締結部材１９をアーム５の先端に取り付けた係止部材１７に連結させることで取り付ける。このように、棚板１１の複数枚分の幅を有する照明具７を用いれば、前面カバー３０に継ぎ目が見えず意匠性が良い。また、アーム５間の距離も大きくとることができ、すっきりとした印象を与えることができる。さらに、アーム５や連結具９の数を減らすことができ、低コスト化を図ることができる。
【００３９】
また、アーム５の形状はアーチ形状にしても良い。
【００４０】
図１２に示すように、陳列棚装置１の支柱３に設けたアーム５に照明具７を取り付ける場合に限らず、天井に吊り下げられた２本のアーム５、５の先端に照明具７を取り付けても良い。
【００４１】
また、図１３に示すように、床や天井、壁などに直接、照明装置１０を固定し、壁と一体に設けられた棚を照明するものであっても良い。即ち、アーム５の先端に固定したブラケット４に照明装置１０を取り付ける場合に限らず、床や天井、壁などに固定したブラケット４に照明装置１０を取り付けるものであっても良い。
【００４２】
電源ランプ２９は、蛍光灯に限らず、電球やＬＥＤ素子を配列したものであってもよい。
【図面の簡単な説明】
【００４３】
【図１】第１実施の形態にかかる陳列棚装置の斜視図である。
【図２】陳列棚装置のアームに取り付ける照明装置を示す断面図である。
【図３】図１に示す照明具の分解斜視図である。
【図４】図１に示す照明装置の一部を示す斜視図である。
【図５】図４に示す連結具の固定状態を示す斜視図である。
【図６】図１に示す陳列棚装置の側面図である。
【図７】第２実施の形態に係る陳列棚装置の側面図である。
【図８】図７に示す陳列棚装置の天板部分を示す斜視図である。
【図９】図３に示す照明具の変形例を示す断面図である。
【図１０】図１に示すアーム及び照明具の変形例を示す斜視図である。
【図１１】図１に示すアームの変形例を示す側面図である。
【図１２】変形例に係る陳列棚装置を示す図であり、天井から吊り下げたアームに照明具を取り付ける状態を示す斜視図である。
【図１３】変形例に係る陳列棚装置において、天井等に直接、照明具を取り付ける状態を示す側面図であり、一点鎖線で抜き出して示す図は照明具の取付部分を拡大して示す図である。
【符号の説明】
【００４４】
１      陳列棚装置
２      陳列棚
３      支柱
４      ブラケット
５      アーム
７      照明具
１０    照明装置
１７    係止部材
１９    締結部材
２３    ねじ穴
２４    係合突起
２６    係合穴
２７    本体
２９    電源ランプ
３０    前面カバー
３２    側面カバー
３３    安定器
【図１】
2005116197.tif 000003
【図２】
2005116197.tif 000004
【図３】
2005116197.tif 000005
【図４】
2005116197.tif 000006
【図５】
2005116197.tif 000007
【図６】
2005116197.tif 000008
【図７】
2005116197.tif 000009
【図８】
2005116197.tif 000010
【図９】
2005116197.tif 000011
【図１０】
2005116197.tif 000012
【図１１】
2005116197.tif 000013
【図１２】
2005116197.tif 000014
【図１３】
2005116197.tif 000015